(57)【要約】  周波数オフセットを補償するための基地局が記載されている。基地局は、メモリ中に記憶された複数の命令とプロセッサとを含む。基地局は、時間領域インパルス応答推定を計算し、時間領域オフセット補償されたインパルス応答推定を得るためにこの時間領域インパルス応答推定に周波数オフセット補償を適用する。周波数領域オフセット補償されたインパルス応答推定が計算される。この周波数領域オフセット補償されたインパルス応答推定を使用してビームフォーミング重みを計算する。基地局は、ビームフォーミング重みを使用してデータを送信する。
2013520142.tif 000002
【特許請求の範囲】
【請求項１】
下記を備える、周波数オフセットを補償するための基地局、
プロセッサ、
前記プロセッサと電子通信しているメモリ、
前記メモリ中に記憶された複数の命令、前記複数の命令は、
時間領域インパルス応答推定を計算する、
時間領域オフセット補償されたインパルス応答推定を得るために、前記時間領域インパルス応答推定に周波数オフセット補償を適用する、
周波数領域オフセット補償されたインパルス応答推定を計算する、
前記周波数領域オフセット補償されたインパルス応答推定を使用して複数のビームフォーミング重みを計算する、
前記複数のビームフォーミング重みを使用して少なくとも１つのビームを形成する、
前記少なくとも１つのビームを使用してデータを送信する
ように実行可能である。
【請求項２】
前記複数のビームフォーミング重みは、空間分割多元接続（ＳＤＭＡ）に使用される、請求項１に記載の基地局。
【請求項３】
前記基地局はアクセス・ポイントである、請求項１に記載の基地局。
【請求項４】
１または複数のアンテナをさらに備える、請求項１に記載の基地局。
【請求項５】
前記複数の命令は、１または複数の無線通信デバイスを発見するためにさらに実行可能である、請求項１に記載の基地局。
【請求項６】
前記データは１または複数のアクセス端末に送信される、請求項１に記載の基地局。
【請求項７】
前記複数の命令は、１または複数の周波数オフセットを有する１または複数のチャネル・サンプルを受信するためにさらに実行可能である、請求項１に記載の基地局。
【請求項８】
時間領域インパルス応答推定を計算することは、受信されたチャネル・サンプルと、高速フーリエ変換（ＦＦＴ）行列のエルミート関数と、恒等行列を乗じた定数に、ＦＦＴ行列を乗じたＦＦＴ行列のエルミート関数を加えたものの逆関数と、を掛け算することを備える、請求項１に記載の基地局。
【請求項９】
前記時間領域インパルス応答推定に周波数オフセット補償を適用することは、周波数オフセットを含む指数関数を前記時間領域インパルス応答推定に掛け算することを備える、請求項１に記載の基地局。
【請求項１０】
周波数領域オフセット補償されたインパルス応答推定を計算することは、前記時間領域オフセット補償されたインパルス応答推定を高速フーリエ変換（ＦＦＴ）行列と掛け算することを備える、請求項１に記載の基地局。
【請求項１１】
前記時間領域インパルス応答推定を計算することは、受信されたチャネル・サンプルと、逆高速フーリエ変換（ＩＦＦＴ）行列と、恒等行列を乗じた定数に、高速フーリエ変換（ＦＦＴ）行列を乗じたＦＦＴ行列のエルミート関数を加えたものの逆関数と、を掛け算することを備える、請求項１に記載の基地局。
【請求項１２】
時間領域インパルス応答推定を計算することは、窓関数を掛け算された受信されたチャネル・サンプルの逆高速フーリエ変換（ＩＦＦＴ）をとることを備える、請求項１に記載の基地局。
【請求項１３】
前記時間領域インパルス応答推定に周波数オフセット補償を適用することは、サンプル・シフトされた時間領域インパルス応答を得るために、周波数オフセット及びサンプル・シフトを含む指数関数を前記時間領域インパルス応答推定に掛け算することを備える、請求項１２に記載の基地局。
【請求項１４】
前記周波数領域オフセット補償されたインパルス応答推定を計算することは、下記を備える、、請求項１３に記載の基地局、
サンプル・シフトされた時間領域インパルス応答の高速フーリエ変換（ＦＦＴ）をとることによってサンプル・シフトされた周波数領域インパルス応答推定を計算すること、
周波数オフセット及びサンプル・シフトを含む指数関数を乗じた窓関数のＩＦＦＴのＦＦＴをとることによってサンプル・シフトされた周波数領域窓を計算すること、
サンプル・シフトされた周波数領域窓でサンプル・シフトされた周波数領域インパルス応答を割り算することによってウィンドウ処理のために周波数領域オフセット補償されたインパルス応答推定を計算すること。
【請求項１５】
前記周波数領域オフセット補償されたインパルス応答推定を計算することは、下記を備える、請求項１３に記載の基地局、
サンプル・シフトされた時間領域インパルス応答の高速フーリエ変換（ＦＦＴ）をとることによってサンプル・シフトされた周波数領域インパルス応答推定を計算すること、
周波数オフセット及びサンプル・シフトを含む指数関数を乗じた窓関数のＩＦＦＴのＦＦＴをとることによってサンプル・シフトされた周波数領域窓を計算すること、
サンプル・シフトされた周波数領域窓の大きさで前記サンプル・シフトされた周波数領域インパルス応答を割り算することによってウィンドウ処理のために周波数領域オフセット補償されたインパルス応答推定を計算すること。
【請求項１６】
下記を備える、基地局で周波数オフセットを補償するための方法、
時間領域インパルス応答推定を、基地局で計算すること、
時間領域オフセット補償されたインパルス応答推定を得るために、前記時間領域インパルス応答推定に周波数オフセット補償を、前記基地局で適用すること、
周波数領域オフセット補償されたインパルス応答推定を、前記基地局で計算すること、
前記周波数領域オフセット補償されたインパルス応答推定を使用して複数のビームフォーミング重みを、前記基地局で計算すること、
前記複数のビームフォーミング重みを使用して少なくとも１つのビームを、前記基地局で形成すること、
前記基地局からの前記少なくとも１つのビームを使用してデータを送信すること。
【請求項１７】
前記複数のビームフォーミング重みは、空間分割多元接続（ＳＤＭＡ）に使用される、請求項１６に記載の方法。
【請求項１８】
前記基地局はアクセス・ポイントである、請求項１６に記載の方法。
【請求項１９】
前記基地局は、１または複数のアンテナを使用する、請求項１６に記載の方法。
【請求項２０】
複数の命令は、１または複数の無線通信デバイスを発見するためにさらに実行可能である、請求項１６に記載の方法。
【請求項２１】
前記データは１または複数のアクセス端末に送信される、請求項１６に記載の方法。
【請求項２２】
１または複数の周波数オフセットを有する１または複数のチャネル・サンプルを受信することをさらに備える、請求項１６に記載の方法。
【請求項２３】
時間領域インパルス応答推定を計算することは、受信されたチャネル・サンプルと、高速フーリエ変換（ＦＦＴ）行列のエルミート関数と、恒等行列を乗じた定数に、ＦＦＴ行列を乗じたＦＦＴ行列のエルミート関数を加えたものの逆関数と、を掛け算することを備える、請求項１６に記載の方法。
【請求項２４】
前記時間領域インパルス応答推定に周波数オフセット補償を適用することは、周波数オフセットを含む指数関数を前記時間領域インパルス応答推定に掛け算することを備える、請求項１６に記載の方法。
【請求項２５】
周波数領域オフセット補償されたインパルス応答推定を計算することは、前記時間領域オフセット補償されたインパルス応答推定を高速フーリエ変換（ＦＦＴ）行列と掛け算することを備える、請求項１６に記載の方法。
【請求項２６】
前記時間領域インパルス応答推定を計算することは、受信されたチャネル・サンプルと、逆高速フーリエ変換（ＩＦＦＴ）行列と、恒等行列を乗じた定数に、高速フーリエ変換（ＦＦＴ）行列を乗じたＦＦＴ行列のエルミート関数を加えたものの逆関数と、を掛け算することを備える、請求項１６に記載の方法。
【請求項２７】
時間領域インパルス応答推定を計算することは、窓関数を乗じた受信されたチャネル・サンプルの逆高速フーリエ変換（ＩＦＦＴ）をとることを備える、請求項１６に記載の方法。
【請求項２８】
前記時間領域インパルス応答推定に周波数オフセット補償を適用することは、サンプル・シフトされた時間領域インパルス応答を得るために、周波数オフセット及びサンプル・シフトを含む指数関数を前記時間領域インパルス応答推定に掛け算することを備える、請求項２７に記載の方法。
【請求項２９】
前記周波数領域オフセット補償されたインパルス応答推定を計算することは、下記を備える、請求項２８に記載の方法、
サンプル・シフトされた時間領域インパルス応答の高速フーリエ変換（ＦＦＴ）をとることによってサンプル・シフトされた周波数領域インパルス応答推定を計算すること、
周波数オフセット及びサンプル・シフトを含む指数関数を乗じた窓関数のＩＦＦＴのＦＦＴをとることによってサンプル・シフトされた周波数領域窓を計算すること、
サンプル・シフトされた周波数領域窓でサンプル・シフトされた周波数領域インパルス応答を割り算することによってウィンドウ処理のために周波数領域オフセット補償されたインパルス応答推定を計算すること。
【請求項３０】
前記周波数領域オフセット補償されたインパルス応答推定を計算することは、下記を備える、請求項２８に記載の方法、
サンプル・シフトされた時間領域インパルス応答の高速フーリエ変換（ＦＦＴ）をとることによってサンプル・シフトされた周波数領域インパルス応答推定を計算すること、
周波数オフセット及びサンプル・シフトを含む指数関数を乗じた窓関数のＩＦＦＴのＦＦＴをとることによってサンプル・シフトされた周波数領域窓を計算すること、
サンプル・シフトされた周波数領域窓の大きさで前記サンプル・シフトされた周波数領域インパルス応答を割り算することによってウィンドウ処理のために周波数領域オフセット補償されたインパルス応答推定を計算すること。
【請求項３１】
基地局で周波数オフセットを補償するためのコンピュータ・プログラム製品、前記コンピュータ・プログラム製品は、複数の命令をその上に有する非一時的コンピュータ可読媒体を備え、前記複数の命令は、下記を備える、
時間領域インパルス応答推定を計算するためのコード、
時間領域オフセット補償されたインパルス応答推定を得るために前記時間領域インパルス応答推定に周波数オフセット補償を適用するためのコード、
周波数領域オフセット補償されたインパルス応答推定を計算するためのコード、
前記周波数領域オフセット補償されたインパルス応答推定を使用して複数のビームフォーミング重みを計算するためのコード、
前記複数のビームフォーミング重みを使用して少なくとも１つのビームを形成するためのコード、
前記少なくとも１つのビームを使用してデータを送信するためのコード。
【請求項３２】
下記を備える、周波数オフセットを補償するための装置、
時間領域インパルス応答推定を計算するための手段、
時間領域オフセット補償されたインパルス応答推定を得るために前記時間領域インパルス応答推定に周波数オフセット補償を適用するための手段、
周波数領域オフセット補償されたインパルス応答推定を計算するための手段、
前記周波数領域オフセット補償されたインパルス応答推定を使用してビームフォーミング重みを計算するための手段、
前記ビームフォーミング重みを使用して少なくとも１つのビームを形成するための手段、
前記少なくとも１つのビームを使用してデータを送信するための手段。
【発明の詳細な説明】
【関連出願】
【０００１】
本願は、その全体が参照により本明細書に組み込まれる、２０１０年２月１７日に提出された仮米国特許出願第６１／３０５，１８６号（表題「基地局での周波数オフセットの補償(“COMPENSATING FOR FREQUENCY OFFSETS ON 基地局”)」）からの優先権を主張し、上記の仮米国特許出願に関連している。
【技術分野】
【０００２】
本開示は、一般に通信システムに関する。具体的には、本開示は、基地局での周波数オフセットの補償に関する。
【背景技術】
【０００３】
無線通信システムは、データ、音声、ビデオ等のような様々なタイプの通信コンテンツ、を提供するために広く配置される。これらのシステムは、１または複数の基地局と複数の(multiple)無線通信デバイスとの同時通信をサポートすることができる多重アクセス・システム（multiple-access system）であり得る。
【０００４】
これらの基地局の利用は、過去数年にわたって劇的に増加してきた。基地局は、しばしば、例えば、インターネットまたはローカル・エリア・ネットワーク（ＬＡＮ）のようなネットワークへのアクセスを提供する。無線通信デバイスのユーザは、しばしば、このような基地局を用いてネットワークに接続する。ユーザは、複数の無線通信デバイスを単一の基地局へ無線で接続することを望むことがあり得る。さらに、ユーザはまた、無線通信デバイスを介してより高速で信頼性の高いスループットを望むことがあり得る。したがって、基地局での信頼性とスループットの増加が求められている。
【０００５】
しかしながら、複数の無線通信デバイスが単一の基地局への接続を試みるとき、特定の問題が発生し得る。たとえば、複数の無線通信デバイスとの間で送受信された信号は干渉し、システム性能の劣化を引き起こし得る。これは、具体的には、複数の無線通信デバイスが基地局と十分に同期されないときに発生し得る。この理由のために、複数の無線通信デバイスの間の干渉を減少させるための改善されたシステム及び方法が有益である。
【図面の簡単な説明】
【０００６】
【図１】図１は、基地局で周波数オフセットを補償するための方法及びシステムがインプリメントされることのできる基地局の一構成を示すブロック図である。
【図２】図２は、空間分割多元接続（ＳＤＭＡ）ビームフォーム間の干渉の一例を示すブロック図である。
【図３】図３は、周波数オフセット補償を伴うＳＤＭＡビームフォームの一例を示すブロック図である。
【図４】図４は、基地局で周波数オフセットを補償するための方法の一構成を示すフロー図である。
【図５】図５は、基地局で周波数オフセットを補償するための方法の別の構成を示すフロー図である。
【図６】図６は、基地局で周波数オフセットを補償するための方法の別の構成を示すフロー図である。
【図７】図７は、基地局で周波数オフセットを補償するための方法及びシステムがインプリメントされることのできるアクセス・ポイントの一構成を示すブロック図である。
【図８】図８は、基地局で周波数オフセットを補償するための方法の別の構成を示すフロー図である。
【図９】図９は、基地局で周波数オフセットを補償するための方法及びシステムがインプリメントされることのできるアクセス・ポイントの別の構成を示すブロック図である。
【図１０】図１０は、基地局で周波数オフセットを補償するための方法の別の構成を示すフロー図である。
【図１１】図１１は、基地局で周波数オフセットを補償するための方法及びシステムがインプリメントされることのできるアクセス・ポイントを示すブロック図である。
【図１２】図１２は、一基地局またはアクセス・ポイント内に含まれ得るある決まったコンポーネントを示す。
【図１３】図１３は、一無線通信デバイスまたはアクセス端末内に含まれ得るある決まったコンポーネントを示す。
【発明を実施するための形態】
【０００７】
［詳細な説明］
周波数オフセットを補償するための基地局が開示される。基地局は、メモリ中に記憶された複数の命令とプロセッサとを含む。基地局は、時間領域インパルス応答推定（time domain impulse response estimate）を計算し、時間領域オフセット補償されたインパルス応答推定（time domain offset-compensated impulse response estimate）を得るために、この時間領域インパルス応答推定に周波数オフセット補償（frequency offset compensation）を適用する。基地局はまた、周波数領域オフセット補償されたインパルス応答推定（frequency domain offset-compensated impulse response estimate）を計算し、この周波数領域オフセット補償されたインパルス応答推定を使用してビームフォーミング重み（beamforming weights）を計算する。ビームフォーミング重みは、少なくとも１つのビームを形成するために使用され、その少なくとも１つのビームはデータを送信するために使用される。
【０００８】
ビームフォーミング重みは空間分割多元接続（ＳＤＭＡ）のために使用されることができ、そのデータは１または複数のアクセス端末へ送信されることができる。基地局はアクセス・ポイントであることができ、１または複数のアンテナを含むことができる。基地局はまた１または複数の無線通信デバイスを発見することができる。基地局はまた１または複数の周波数オフセットを伴う１または複数のチャネル・サンプルを受信することができる。
【０００９】
時間領域インパルス応答推定を計算することは、受信されたチャネル・サンプルと、ＦＦＴ行列のエルミート関数（Hermitian）と、恒等行列（identity matrix）を乗じた定数に、高速フーリエ変換（ＦＦＴ）行列を乗じたＦＦＴ行列のエルミート関数を加えたものの逆関数と、を掛け算することを含み得る。時間領域インパルス応答推定に周波数オフセット補償を適用することは、周波数オフセットを含む指数関数（exponential function）を時間領域インパルス応答推定に掛け算することを含み得る。
【００１０】
周波数領域オフセット補償されたインパルス応答推定を計算することは、時間領域オフセット補償されたインパルス応答推定に高速フーリエ変換（ＦＦＴ）行列を掛け算することを含み得る。時間領域インパルス応答推定を計算することは、受信されたチャネル・サンプルと、逆高速フーリエ変換（ＩＦＦＴ）行列と、恒等行列を乗じた定数に、高速フーリエ変換（ＦＦＴ）を乗じたＦＦＴ行列のエルミート関数を加えたものの逆関数と、を掛け算することを含み得る。
【００１１】
時間領域インパルス応答推定を計算することは、窓関数（windowing function）を乗じた受信されたチャネル・サンプルの逆高速フーリエ変換（ＩＦＦＴ）をとることを含み得る。時間領域インパルス応答推定に周波数オフセット補償を適用することは、サンプル・シフトされた時間領域インパルス応答を得るために、周波数オフセット及びサンプル・シフトを含む指数関数を時間領域インパルス応答推定に掛け算することを含み得る。
【００１２】
周波数領域オフセット補償されたインパルス応答推定を計算することは、サンプル・シフトされた時間領域インパルス応答の高速フーリエ変換（ＦＦＴ）をとることによってサンプル・シフトされた周波数領域インパルス応答推定を計算すること、周波数オフセット及びサンプル・シフトを含む指数関数を乗じた窓関数のＩＦＦＴのＦＦＴをとることによってサンプル・シフトされた周波数領域窓（sample-shifted frequency domain window）を計算すること、及びサンプル・シフトされた周波数領域窓でサンプル・シフトされた周波数領域インパルス応答を割り算することによってウィンドウ処理（windowing）のために周波数領域オフセット補償されたインパルス応答推定を計算することを含み得る。
【００１３】
その代わり、周波数領域オフセット補償されたインパルス応答推定を計算することは、サンプル・シフトされた時間領域インパルス応答の高速フーリエ変換（ＦＦＴ）をとることによってサンプル・シフトされた周波数領域インパルス応答推定を計算すること、周波数オフセット及びサンプル・シフト（sample shift）を含む指数関数を乗じた窓関数のＩＦＦＴのＦＦＴをとることによってサンプル・シフトされた周波数領域窓を計算すること、及びサンプル・シフトされた周波数領域窓の大きさでサンプル・シフトされた周波数領域インパルス応答を割り算することによってウィンドウ処理のために周波数領域オフセット補償されたインパルス応答推定を計算することを含み得る。
【００１４】
基地局で周波数オフセットを補償する方法が開示されている。この方法は、基地局で時間領域インパルス応答推定を計算すること、及び時間領域オフセット補償されたインパルス応答推定を得るために、時間領域インパルス応答推定に周波数オフセット補償を適用することを含む。この方法は、基地局で周波数領域オフセット補償されたインパルス応答推定を計算すること、及び周波数領域オフセット補償されたインパルス応答推定を使用してビームフォーミング重みを計算することをさらに含む。この方法はまた、基地局でビームフォーミング重みを使用して少なくとも１つのビームを形成すること、及びをその少なくとも１つのビームを使用して基地局からデータを送信することを含む。
【００１５】
基地局で周波数オフセットを補償するためのコンピュータ・プログラム製品が開示される。このコンピュータ・プログラム製品は、複数の命令をその上に有する非一時的（non-transitory）コンピュータ可読媒体を含む。その複数の命令は、時間領域インパルス応答推定を計算し、及び時間領域オフセット補償されたインパルス応答推定を得るために時間領域インパルス応答推定に周波数オフセット補償を適用するためのコードを含む。その複数の命令は、周波数領域オフセット補償されたインパルス応答推定を計算し、及び周波数領域オフセット補償されたインパルス応答推定を使用してビームフォーミング重みを計算するためのコードをさらに含む。その複数の命令は、ビームフォーミング重みを使用して少なくとも１つのビームを形成し、及びをその少なくとも１つのビームを使用してデータを送信するためのコードをさらに含む。
【００１６】
周波数オフセットを補償するための装置もまた開示される。この装置は、時間領域インパルス応答推定を計算し、時間領域オフセット補償されたインパルス応答推定を得るために時間領域インパルス応答推定に周波数オフセット補償を適用するための手段を含む。この装置は、周波数領域オフセット補償されたインパルス応答推定を計算し、周波数領域オフセット補償されたインパルス応答推定を使用してビームフォーミング重みを計算するための手段を含む。この装置はまた、ビームフォーミング重みを使用して少なくとも１つのビームを形成し、その少なくとも１つのビームを使用してデータを送信するための手段を含む。
【００１７】
ここで使用されるように、「基地局」という用語は、一般に、通信ネットワークへのアクセスを提供することができる通信デバイスを意味する。通信ネットワークの例には、メトロポリタン・エリア・ネットワーク（ＭＡＮ）、広域ネットワーク（ＷＡＮ）、ローカル・エリア・ネットワーク（ＬＡＮ）、インターネット、電話網（例えば、携帯電話ネットワークまたは公衆交換電話網（ＰＳＴＮ）のような「陸線」ネットワーク）が含まれるが、それらに限定されない。基地局の例には、例えば、携帯電話基地局またはノード、アクセス・ポイント、無線ゲートウェイ、及び無線ルータが含まれる。基地局（例えば、アクセス・ポイント）は、電気電子技術者協会（ＩＥＥＥ）８０２．１１ａ、８０２．１１ｂ、８０２．１１ｇ、８０２．１１ｎ、８０２．１１ａｃ（例えば、ワイヤレス・フィデリティー(Wireless Fidelity)、すなわち「ワイ・ファイ（Ｗｉ−Ｆｉ）」）規格のような、ある決まった工業規格に従って動作し得る。アクセス・ポイントが従い得る規格の他の例には、ＩＥＥＥ ８０２．１６（例えば、マイクロウェーブ・アクセスのためのワールドワード・インタオペラビリティ（Worldwide Interoperability for Microwave Access）、すなわち「ワイマックス（ＷｉＭＡＸ）」）、第３世代パートナーシップ・プロジェクト(３ＧＰＰ)、３ＧＰＰロングターム・エボリューション（Long Term Evolution）（ＬＴＥ）及びその他（例えば、そこでは基地局は、ノードＢ（ＮｏｄｅＢ）、進化型ノードＢ（evolved ＮｏｄｅＢ）（ｅＮＢ）等と呼ばれ得る）が含まれる。ここに開示されるシステム及び方法は多くのシステム及び／または規格に適応可能であり得るので、このシステム及び方法の内のあるものが１または複数の規格によって説明されることができるが、これは開示の技術的範囲を制限するものではない。
【００１８】
ここに使用されるように、「無線通信デバイス」という用語は、一般に、基地局に無線で接続され得る通信デバイス（例えば、アクセス端末、クライアント・デバイス等）を意味する。その代わりに、無線通信デバイスは、モバイル・デバイス、移動局、加入者局、ユーザ装置、遠隔局、アクセス端末、移動端末、端末、ユーザ端末、加入者ユニット等と呼ばれることができる。無線通信デバイスの例には、ラップトップまたはデスクトップコンピュータ、携帯電話、スマート・フォン、無線モデム、イーリーダー（e-readers）、タブレット・デバイス、ゲーム機等が含まれる。無線通信デバイスは、基地局と関連して上述した１または複数の工業規格に従って動作することができる。したがって、「無線通信デバイス」という一般的な用語には、工業規格に従って変化する名称（例えばアクセス端末、ユーザ装置（ＵＥ）、遠隔端末 等）で説明される無線通信デバイスが含まれることができる。
【００１９】
ここで使用されるように、用語「補償する（compensate）」、「補償」、「訂正する（correct）」、「訂正」、及び「補償する」または「訂正する」の他の形は、あるレベルの補償または訂正を示す。すなわち、これらの用語は、オフセット／エラーを低減しようとしてとられる少なくともあるアクションまたはオフセット／エラーのある低減を示すことができる。換言すると、周波数オフセットまたはエラーを補償することは、周波数オフセットまたはエラーを低減することに過ぎない。したがって、ある量の周波数オフセットまたはエラーは、「補償」または「訂正」後に残り得る。
【００２０】
上述したように、基地局の改善されたスループット及び信頼性が有益であり得る。基地局のスループットを改善する１つのアプローチは、ビームフォーミングを使用することを含む。ビームフォーミングは空間分割多元接続（ＳＤＭＡ）という状況において使用されることができる。ＳＤＭＡは、送信信号を空間的に分割する技術であり、それは通信リソース（例えば、時間及び／または周波数リソース）が「再使用」されることを可能にし得る。ビームフォーミングは、各アンテナで相対的な信号位相及び振幅を制御することによって複数のアンテナを使用してインプリメントされることができる。このような制御は、送信信号が特定の方向に空間的に向けられることを可能にする。ＳＤＭＡは、マルチユーザ多入力多出力（Multi-User Multiple-Input Multiple-Output）（ＭＵ−ＭＩＭＯ状況）で使用されることができる。ここに開示されているシステム及び方法は、アクセス端末（例えば、「クライアント」）ごとに異なる周波数オフセットに関するＳＤＭＡのチャネル推定を補償するために使用されることができる技術を説明する。具体的には、ここに開示されるシステム及び方法は、暗黙のフィードバックを使用して送信されるダウンリンク・ビームフォーミングに当てはまる（すなわち、受信されるアップリンク・プリアンブルはダウンリンク・ビームフォーミング重みを推定する（estimate）ために使用されることができる）。
【００２１】
周波数オフセット補償は特定の規格の動作に関連していることができる。例えば、周波数オフセット補償は、無線通信デバイス（例えば、クライアント・デバイス）への周波数同期要求なしに、暗黙のチャネル状態情報を使用するＩＥＥＥ ８０２．１１ａｃ モードに適用されることができる。それはまた「レガシー（legacy）」規格ＩＥＥＥ ８０２．１１ａ または ８０２．１１ｎ に従って動作する無線通信デバイスに関してＳＤＭＡを使用することにも当てはまり得る。周波数オフセットを低減するために他のアプローチが使用されることができることが認識されるべきである。例えば、無線通信システムは明示的なフィードバックを使用し得る。しかしながら、そのアプローチはより多くの費用を要し、明示的なフィードバックをサポートしないある決まった「レガシー」無線通信デバイス（例えば、ＩＥＥＥ ８０２．１１ａ または ８０２．１１ｎ クライアント）の役に立たないことがあり得る。周波数オフセットを低減するための別のアプローチは、無線通信システムが全ての無線通信デバイスに、それらの送信（ＴＸ）クロックを基地局クロックへ同期するように要求するときであることができる。しかしながら、このアプローチはまた、この機能をサポートしないある決まった「レガシー」無線通信デバイス（例えば、ＩＥＥＥ ８０２．１１ａ または ８０２．１１ｎ クライアント）の役に立たないことがあり得る。他方、ここに開示されたシステム及び方法は、明示的なフィードバックまたはクロック同期なしに、周波数オフセットを補償するように動作することができる。
【００２２】
以下、図面を参照して種々の構成を説明する。なお、同じ参照符号は機能的に類似した要素を示すことができる。ここにおいて図面に示され、一般的に説明されるシステム及び方法は、多くの種類の異なる構成で配列され、設計されることができる。したがって、図面に示されたいくつかの構成の以下のさらに詳細な説明は、本願請求項に記載の技術的範囲を制限するものではなく、そのシステム及び方法を単に表すに過ぎない。
【００２３】
図１は、基地局１０２で周波数オフセットを補償するための方法及びシステムがインプリメントされ得る基地局１０２の１つの構成を示すブロック図である。基地局１０２は、チャネル１１０を横切って１または複数の無線通信デバイス１２４と通信することができる。例えば、基地局１０２は、複数のアンテナ１０８ａ−ｎを使用して１または複数の無線通信デバイス１２４に無線周波数（ＲＦ）信号を送信することができる。１または複数の無線通信デバイス１２４はそれぞれ、１または複数のアンテナ１２２ａ−ｎを使用して、送信された信号を受信することができる。逆に、無線通信デバイス１２４は、基地局１０２によって受信されることができる信号を送信することができる。基地局１０２から無線通信デバイス１２４へ送信される信号は、一般に、ダウンリンク信号と呼ばれることができ、一方無線通信デバイス１２４から基地局へ送信される信号はアップリンク信号と呼ばれることができる。
【００２４】
基地局１０２は、１または複数のダウンリンク・サブキャリア１１６ａ−ｎを使用して、１または複数の変調されたシンボル（例えば、データ）１１８を無線通信デバイス１２４へ送信することができる。逆に、無線通信デバイス１２４は、１または複数のアップリンク・サブキャリア１１２ａ−ｎを使用して、１または複数の変調されたシンボル（例えば、サンプル、データ）１１４を送信することができる。キャリアには、一般に、チャネル１１０を横切ってシンボル１１４、１１８を送信するために使用されるある範囲の周波数または帯域幅が含まれ得る。サブキャリア１１２、１１６は、キャリア内に含まれる周波数帯域であることができる。１つの構成（例えば、直交周波数分割多重化、すなわちＯＦＤＭを使用する）において、１または複数のサブキャリア１１２、１１６は互いに直交し、そのキャリア帯域幅を集団で占有することができる。各サブキャリア１１２、１１６は、例えば、データまたはシンボルの別個のストリームを伝送することができる。
【００２５】
基地局１０２は、ダウンリンク・サブキャリア１１６の周波数を生成するために使用される基地局クロック１０６を含むことができる。無線通信デバイスクロック１２６は、同様に、アップリンク・サブキャリア１１２の周波数を生成するために無線通信デバイス１２４によって使用されることができる。しかしながら、無線通信デバイスクロック１２６は、基地局クロック１０６と正確に同期されないことがある。基地局クロック１０６及び無線通信デバイスクロック１２６が正確に同期されないとき、周波数オフセット１２０が発生し得る。各無線通信デバイス１２４は異なる周波数オフセット１２０を有し得る。
【００２６】
以下、さらに詳細に説明するように、対応したサブキャリア１１２、１１６は周波数において整合することが望ましい。例えば、システム性能は、アップリンク・サブキャリアＡ  １１２ａ及びダウンリンク・サブキャリアＡ  １１６ａが同じ周波数上で整合されるときに改善されることができる。しかしながら、基地局クロック１０６及び無線通信デバイスクロック１２６は正確に同期されないことがあるため、サブキャリア周波数１１２ａ、１１６ａは正確に整合されず、周波数オフセット１２０を、及び、場合によっては、システム性能の劣化を引き起こし得る。
【００２７】
この結果は、図１中の基地局１０２の下方の周波数軸１３２上に示されている。基地局１０２は送信された周波数帯域１２８で信号（例えば、ダウンリンク・サブキャリア１１６）を送信し、受信された周波数帯域１３０で信号（例えば、アップリンク・サブキャリア１１２）を受信する。示されているように、送信された周波数帯域１２８及び受信された周波数帯域１３０は周波数オフセット１２０だけオフセットされる。ＳＤＭＡビームフォーミング重みが、受信されたアップリンク・プリアンブルからの（例えば、それぞれが異なる周波数オフセット１２０を備えるシンボル１１４からの）チャネル推定に基づいているとき、ＳＤＭＡダウンリンクにおける干渉は、ダウンリンク・チャネルが受信されたアップリンク・チャネル（例えば、受信された周波数帯域１３０）とは異なるサブキャリア周波数（例えば、送信された周波数帯域１２８）におけるものであるために発生し得る。
【００２８】
基地局１０２は、周波数オフセット補償モジュール１０４を含み得る。この周波数オフセット補償モジュール１０４は、周波数オフセットを暗黙のうちに補償するために受信されたシンボル（例えば、サンプル、データ）１１４を使用することができる。具体的には、基地局１０２は、ＳＤＭＡビームフォーミングを行うために、周波数オフセット１２０を補償するための暗黙のチャネル情報（例えば、受信されたシンボル１１４からのメッセージ・プリアンブル）を使用することができる。すなわち、基地局１０２ は、ＳＤＭＡビームフォーミング重みを計算するとき、周波数オフセット１２０を補償することができる。チャネル情報は、その情報が周波数オフセット１２０を補償することを意図された「明示的な」フィードバックではないので、「暗黙」とみなされる。ここに開示されているシステム及び方法は、基地局１０２が暗黙のチャネル推定を使用して、周波数オフセット１２０をどのようにして補償し得るかを説明する。
【００２９】
各無線通信デバイス１２４（例えば、「クライアント」）は異なる周波数オフセット１２０を有し得るため、ＳＤＭＡチャネルは異なる周波数でサンプリングされ得る。基地局１０２は、マルチ・ユーザ干渉の発生を回避し、あるいは低減するために周波数オフセット１２０を補償することができる。１つの無線通信デバイス１２４だけが存在するとき、基地局１０２は周波数オフセット１２０だけその送信信号周波数をシフトするか、あるいはその周波数オフセットを無視する（例えば、単一ユーザ・ビームフォーミング・パフォーマンスの影響が小さいことがあり得るため）ことができる。
【００３０】
図２は、ＳＤＭＡビームの間の干渉の一例を示すブロック図である。基地局２０２は複数のアンテナ２０８ａ−ｎを含むことができる。上述のように、基地局２０２は、ビームフォーミングを行うためにアンテナ２０８ａ−ｎ上で送信された信号の間の相対的な位相及び振幅を制御することができる。例えば、基地局２０２は、無線通信デバイスＡ ２２４ａに空間的に向けられたビームＡ ２３４ａを生成することができる。基地局２０２はまたビームＢ ２３４ｂを生成することができ、それは無線通信デバイスＢ ２２４ｂに空間的に向けられる。無線通信デバイスＡ ２２４ａ及び無線通信デバイスＢ ２２４ｂは、それぞれ、基地局２０２からの信号を受信するために１または複数のアンテナ ２２２ａ−ｂを使用することができる。図２に示される例は、基地局２０２が周波数オフセット１２０を十分に補償しない場合に、干渉２３６が発生し得ることを示している。この場合、周波数オフセット１２０は、ビームＡ ２３４ａ及びビームＢ ２３４ｂを空間的にオーバーラップさせている。これは、無線通信デバイスＡ ２２４ａにビームＢ ２３４ｂで送信されている信号エネルギの一部分を受信させ、その結果干渉２３６を生じさせ得る。したがって、周波数オフセット１２０がＳＤＭＡの状況において十分に補償されない場合、ビームフォーム２３４は空間的にオーバーラップし、無線通信デバイス２２４の間に干渉を引き起こし得る。
【００３１】
しかしながら、各無線通信デバイス２２４の関心の対象である空間ストリーム（例えば、ビーム２３４）の間に干渉２３６が発生しないが、空間的なオーバーラップが存在し得る、より一般的なＳＤＭＡのケースが存在する。例えば、基地局２０２は、各無線通信デバイスが２つのアンテナ２２２を有するが、１つの空間ストリーム（例えば、ビーム２３４）を割当てられる、３つの無線通信デバイス２２４にビームフォームし得る。この場合、アンテナ２２２の全ては、全ての無線通信デバイス２２４に向けられた信号を受信し得る。しかしながら、無線通信デバイス２２４において空間フィルタを適用した後、無線通信デバイス２２４は、ビームフォーミングが完全に行われた場合、何の干渉もなしに、無線通信デバイスに向けられた空間ストリームを「見る（see）」ことができる。したがって、一般に、ＳＤＭＡ重みが理想的なものでない場合、空間ストリームの間に干渉２３６は存在する。
【００３２】
図３は、周波数オフセット補償を伴うＳＤＭＡビームフォームの一例を示すブロック図である。この例において、基地局３０２は複数のアンテナ３０８ａ−ｎ及び周波数オフセット補償モジュール３０４を含む。無線通信デバイス324ａ−ｂはそれぞれ、１または複数のアンテナ３２２ａ−ｂを含むことができる。図２に関連して同様に説明したように、基地局３０２はビームＡ ３３４ａ 及びビームＢ ３３４ｂを生成し、それらは、それぞれ、無線通信デバイスＡ ３２４ａ及び無線通信デバイス Ｂ ３２４ｂに空間的に向けられる。しかしながら、この例において、基地局３０２は周波数オフセット補償 モジュール３０４を使用して周波数オフセット１２０を補償している。その結果、ビームＡ ３３４ａ及びビームＢ ３３４ｂはより空間的に異なる。これは結果的に低減された干渉２３６となり得る。
【００３３】
例えば、無線通信デバイスＡ ３２４ａはビームＢ ３３４ｂで送信されているより少ない信号エネルギを受信し、その結果ビームＢ ３３４ｂからの低減された干渉あるいは雑音となり得る。したがって、無線通信デバイス ３２４ａ−ｂの間の干渉２３６は低減され、あるいは回避されることができる。ビームフォーム３３４ａ−ｂは、より空間的に異なるため、基地局３０２は両方の無線通信デバイス３２４ａ−ｂに関して類似した時間及び周波数リソースを使用し、それによってスループットを増大させることができる。さらに、信号中により少ない雑音が存在し、より高い信号対雑音比（ＳＮＲ）を提供し得るため、信号は無線通信デバイス ３２４ａ−ｂにおいてより高い信頼性により受信されることができる。これは、高い変調及び／またはデータ・レート（例えば、６４直交振幅変調（ＱＡＭ）、コード・レート５／６等の）が基地局３０２によって使用されることを可能にし得る。
【００３４】
図４は、基地局１０２で周波数オフセットを補償する方法４００の１つの構成を示すフロー図である。基地局１０２は１または複数の無線通信デバイス１２４を発見し得る（４３８）。例えば、基地局１０２は、基地局１０２のリソースへのアクセス（例えば、基地局１０２を介したインターネット接続、ネットワーク接続等）を要求するメッセージを、無線通信デバイス １２４から受信することができる。無線通信デバイス１２４はまたその能力が何か（例えば、それが明示的なフィードバックをサポートすることができるか否か）を知らせることができる。基地局１０２はまた、周波数オフセットを含むチャネル・サンプルを受信することができる（４４０）。換言すると、無線通信デバイス１０２は１または複数のシンボル１１４（例えば、メッセージ・プリアンブル）を受信することができる。基地局１０２は、オフセット補償されたインパルス応答推定１２０（例えば、周波数領域における）を計算する（４４２）ためにこれらの受信されたチャネル・サンプルを使用することができる（４４０）。すなわち、ここに開示された方法及びシステムの１つの目的は、受信されたチャネル・サンプルに基づいて周波数領域チャネル・インパルス応答を（例えば、補間を使用して）推定することであり得る。周波数領域オフセット補償されたインパルス応答推定は、その後、ビームフォーミング重みを計算する（４４４）ために使用されることができる。ビームフォーミング重みはＳＤＭＡの状況において適用されることができる。例えば、基地局１０２は、そのインパルス応答推定（例えば周波数領域オフセット補償されたインパルス応答推定）を使用してビームフォーミング行列を計算することができる（４４４）。基地局１０２は、その後、その計算された（例えば、ＳＤＭＡ）ビームフォーミング重みを使用してデータを送信することができる（４４６）。具体的には、基地局１０２はビームフォーミング重みを計算するためにそのインパルス応答推定を使用することができる。ビームフォーミング重みは、アンテナ間の相対的な信号位相及び／または振幅に影響を与え得るものであり、１または複数のビーム（例えば、指向性ビーム）を形成するために使用されることができる。１または複数のビームはデータを送信するために使用されることができる。
【００３５】
例えば、２つの無線通信デバイス１２４ が基地局１０２と通信していると仮定する。各無線通信デバイスは単一のアンテナ１２２を有し、基地局１０２は４つのアンテナ１０８を有する。推定されるチャネル・インパルス応答 Ｈest,1及びＨest,2は２つのアップリンクに関して計算されることができ（４４２）、ここでＨest,1及びＨest,2は、４×１ベクトルである。ダウンリンク・チャネル全体は、Ｈ＝［Ｈest,1  Ｈest,2］Tとして書かれることができ、ここでＨは２×４行列であり、Ｔは行列の転置を示す。ＳＤＭＡビームフォーミングを行う１つの可能な方法は、最小２乗平均誤差（ＭＭＳＥ）ビームフォーミング重み行列Ｗ＝（αＩ＋ＨＨ*）Ｈ*を計算すること（４４４）であり、ここでＨ* はＨの共役転置であり、Ｉは２×２の恒等行列であり、αはスカラー因子または定数である。例えば、αは、１を、受信されたアップリンクにおける推定された信号対雑音比（ＳＮＲ）で割った値に等しくなり得る。その代わりに、αはゼロフォーシング（zero-forcing）に近くなるようにより小さく設定されることができる。ビームフォーミング重み行列Ｗは送信信号に適用されることができる。したがって、データは、ＳＤＭＡビームフォーミング重みを使用して送信されることができる（４４６）。
【００３６】
図５は、オフセット補償されたインパルス応答推定を計算する方法５００の一構成を示すフロー図である。基地局１０２は、時間領域（すなわち、チャネル）インパルス応答推定（例えば、周波数オフセット１２０を含む）を計算することができる（５４８）。例えば、基地局１０２は、基地局１０２が周波数においてシフトし得る周波数領域チャネルを受信することができる。ここに記載されたアルゴリズムのうちのいくつかによると、これはチャネルを時間領域に変換することによって行われ得る。しかしながら、この手続きはまた、周波数領域補間として説明されることができる。上述したように、各無線通信デバイス１２４は異なる周波数オフセット１２０を有し得る。複数の無線通信デバイス１２４が存在し得るので、単一の周波数シフトは周波数オフセット１２０の全てを解決することはできない。したがって、個々の無線通信デバイス１２４からの個々のチャネルは周波数においてシフトされることが必要であり得る。
【００３７】
基地局１０２は、時間領域オフセット補償されたインパルス応答推定を得るために時間領域インパルス応答推定に周波数オフセット補償を適用することができる（５５０）。例えば、周波数オフセット１２０の推定は、既知の周波数オフセット１２０の推定技術を使用して（例えば、ＩＥＥＥ ８０２．１１ａ／ｎ パケットの最初のロング・トレーニング・シンボル（long training symbol）を使用して）得られることができる。これは、時間領域インパルス応答推定における（複数の）周波数オフセット１２０を補償するために使用されることができる。基地局１０２は周波数領域オフセット補償されたインパルス応答推定を計算することができる（５５２）。
【００３８】
図６は、オフセット補償されたインパルス応答推定を計算する方法６００のより特定の構成を示すフロー図である。この方法６００は、最小２乗平均誤差（ＭＭＳＥ）ベースの補間を使用して周波数オフセット１２０を補償するためのアプローチを表す。線形補間のような簡単な補間技術は、誤差を、−４０の、キャリアに対するデシベル（decibels relative to the carrier）（ｄＢｃ）以下に保つには十分でないことがあるため、このアプローチ及びその他のアプローチが使用され得る。基地局１０２は、受信されたチャネル・サンプルと、高速フーリエ変換（ＦＦＴ）行列のエルミート関数と、恒等行列を乗じた定数に、ＦＦＴ行列を乗じたＦＦＴ行列のエルミート関数を加えたものの逆関数と、を掛け算することによって時間領域インパルス応答推定を計算することができる（６５４）。この演算は、式（１）に示されているように行われることができる。  
【数１】
2013520142.tif 000003
【００３９】
ｈs は、長さＬ≦Ｎsの周波数オフセットΔｆ １２０を含む時間領域インパルス応答推定ベクトルであり、ここで、Ｎsはサブキャリアの合計数である。ＦijはＮポイント（Ｎ−point） ＦＦＴ行列であり、ＦijHはＦＦＴ行列のエルミート関数であり、ここでＮはサブキャリアの合計数Ｎsより大きい、最も近い２の累乗である。ｉはＦＦＴ行列の行インデックスを表し、ここで、ｉ＝((ｋ＋Ｎ)ｍｏｄ Ｎ)である。ｋはサブキャリア・インデックス番号（subcarrier index number）であり、一方ｆk はインデックス番号ｋにおけるサブキャリア周波数である。列インデックスｊ＝｛０，１，・・・，Ｌ｝であり、ここでＬはインパルス応答の長さである。αは定数（例えば、α＝０．０００１）であり、ＩL はＬ×Ｌのディメンションを有する恒等行列である。１つの構成においては、結果として生じる補間されたチャネル推定の改善された精度を得るために、αは実験的に決定されることができる。αが０であるか、あるいは大き過ぎる場合、誤り及び／または雑音増大がとくに帯域の両端で結果的に生じ得る。受信されたチャネル・サンプルは、Ｈ（ｆk ＋Δｆ）＝Ｆijｈs ＋ｎとして書かれることができ、ここで、ｎはＮs の雑音サンプルのベクトルである。Δｆは単一の無線通信デバイス１２４に関する単一の周波数オフセット１２０であり得ることに注意すべきである。ここで説明されるように、各無線通信デバイス１２４に関して異なる周波数オフセットΔｆ １２０が存在し得る。ここにおいて式で示される演算は、単一の無線通信デバイス１２４に関する周波数オフセットΔｆ １２０について使用されることができる。しかしながら、それぞれの異なるオフセットΔｆ １２４ は独立的に処理されることができる。換言すると、ここに開示されたシステム及び方法は式によって示された演算を、各無線通信デバイス１２４に関して独立的に（例えば、繰り返し）行うことができる。
【００４０】
一例においては、「レガシー」基地局102はＩＥＥＥ ８０２．１１ｎに従って動作する。「レガシー」とは、ＩＥＥＥ ８０２．１１ａｃのような「現在の」規格とは対照的に、ＩＥＥＥ ８０２．１１ａ またはＩＥＥＥ ８０２．１１ｎのような「古い」規格に従うデバイスを意味する。この例では、基地局１０２はサブキャリア周波数ｆk ＝ｆc ＋ｋ・３１２．５ｋＨｚ（すなわち、ｋＨｚはキロヘルツであり、ＭＨｚはメガヘルツである）でダウンリンクＳＤＭＡパケットを送信することができる。サブキャリア・インデックスｋ＝｛−２８，−２７，・・・，−１，１，２，・・・，２８｝（例えば、２０ＭＨｚの周波数帯域で）である。例えば、無線周波数（ＲＦ）中心周波数ｆc ＝５２４０ＭＨｚである。基地局１０２は、サブキャリア周波数ｆc ＋ｋ・３１２．５ｋＨｚ＋Δｆで、同期されていないレガシー無線通信デバイス１２４からアップリンク・パケットを受信することができ、ここでΔｆは１００万分の±４０（±４０ｐｐｍ）までの周波数オフセット１２０である。
【００４１】
基地局１０２は、周波数オフセット１２０を含む指数関数を時間領域インパルス応答推定に掛け算することによって時間領域インパルス応答推定に周波数オフセット１２０の補償を適用することができる（６５６）。この演算は、式（２）に示されているように行われることができる。  
【数２】
2013520142.tif 000004
【００４２】
ｈ（ｋ）は時間領域オフセット補償されたインパルス応答推定 であり、ｊは虚数単位（すなわち、この状況（例えば、式（２）、（６）及び（８）等）においてｊ＝（−１）1/2 ）である。
【００４３】
基地局１０２は、時間領域オフセット補償されたインパルス応答推定をＦＦＴ行列と掛け算することによって、時間領域オフセット補償されたインパルス応答推定を周波数領域に変換する（例えば、計算する）ことができる（６５８）。この演算は、式（３）に示されるように行われることができる。  
【数３】
2013520142.tif 000005
【００４４】
Ｈest は周波数領域オフセット補償されたインパルス応答推定である。１５０ｋＨｚの周波数オフセットを有する（例えば、α＝０．０００１を使用する）一つの例においては、チャネル・インパルス応答誤差の大きさ
【数４】
2013520142.tif 000006
【００４５】
は、−４３ｄＢｃの最大誤差を有する−５７ｄＢｃの２乗平均平方根（ＲＭＳ）誤差に低減された。
【００４６】
図７は、基地局１０２で周波数オフセットを補償するためのシステム及び方法がインプリメントされることのできるアクセス・ポイント７０２の一構成を示すブロック図である。
【００４７】
具体的には、図７は、図６に関連して説明された方法６００の１つのインプリメンテーションを示す。アクセス・ポイント７０２は周波数オフセット補償モジュール７０４を含むことができる。
【００４８】
周波数オフセット補償モジュール７０４は、ある決まった長さ７６６（例えば、Ｌ）の恒等行列７６８（例えば、Ｉ）を含むことができる。恒等行列７６８は、定数７７０（例えば、α）を掛け算されることができる（７７９ｂ）。周波数オフセット補償モジュール７０４はＦＦＴ行列７６２を含むことができる。ＦＦＴ行列７６２は、Ｎポイント（７９４ａ）ＦＦＴ行列であることができる。アクセス・ポイント７０２はＦＦＴ行列７６２のエルミート関数７６４を計算し、それにＦＦＴ行列７６２を掛け算することができる（７７９ａ）。この積は、定数７７０と恒等行列７６８の積に加算されることができる（７８１）。結果的に生じた和は行列反転モジュール７７２によって反転される。
【００４９】
結果的に生じた反転行列
【数５】
2013520142.tif 000007
【００５０】
は「事前計算可能な行列」とみなされるか、あるいは「事前計算可能な係数」を含むことができ、記憶装置７７４に随意に記憶されることができる。この事前計算可能な行列は事前計算可能な演算７６０の結果であり得る。具体的には、事前計算可能な行列は、例えば、アクセス・ポイント７０２がアクセス端末（例えば、無線通信デバイス）１２４と通信することを試みる前等に、随意に事前計算されて記憶装置７７４に事前記憶されることができる。さらに、事前計算可能な演算７６０はアクセス・ポイント７０２上あるいはある他の別個の計算デバイス上で行われることができ、その結果生じた事前計算可能な行列は、アクセス・ポイント７０２がアクセス端末と通信している時の使用のために記憶装置７７４に置かれる。
【００５１】
いくつかの異なるモードは、記憶装置７７４に事前記憶されることができる。一構成においては、例えば、２つの行列（例えば、事前計算可能な行列）が存在し得る。１つの行列は２０ＭＨｚモードのために記憶されることができ、一方もう１つの行列は４０ＭＨｚモードのために記憶されることができる。具体的には、長さ７６６は、２０ＭＨｚモードに関して２０（例えば、Ｌ＝２０）であることができ、４０ＭＨｚモードに関しては３２（例えば、Ｌ＝３２）であることができる。これは、たとえば、４０ＭＨｚの行列が１０２４のエントリを有することを意味し得る。したがって、このような行列の記憶及び掛け算は結果的にハードウェアの複雑さの追加になる。
【００５２】
その代わりに、事前計算可能な演算７６０はあらかじめ行われないか、及び／または記憶されないことができるが、しかしアクセス・ポイント７０２がアクセス端末と通信しているときに行われることができる。事前計算可能な行列は、時間領域インパルス応答推定７８４（例えば、ｈs ）を生成するために、ＦＦＴ行列７６２のエルミート関数７６４（例えば、ＦijH ）を掛け算され（７７９ｃ）、受信されたサンプル７７６（例えば、Ｈ（ｆk ＋Δｆ））を掛け算されることができる（７７９ｄ）。上述した演算は上記の式（１）によって示されるように行われることができる。
【００５３】
アクセス・ポイント７０２は、１または複数のアンテナ ７０８ａ−ｎを使用してサンプル７７６を（例えば、１または複数の アクセス端末から）受信することができる。周波数オフセット推定モジュール７８２は、受信されたサンプル７７６を使用して１または複数の周波数オフセット推定（例えば、Δｆ）を計算することができる。指数関数７８０
【数６】
2013520142.tif 000008
【００５４】
は１または複数の周波数オフセット推定、サブキャリア番号（subcarrier number）７７８、及びＮポイント７９４ｂを使用することができる。指数関数７８０の出力は、時間領域オフセット補償されたインパルス応答推定７８６（例えば、ｈ（ｋ））を生成するために時間領域インパルス応答推定７８４を掛け算されることができる（７７９ｅ）。これらの演算は、上記の式（２）で示されるように行われることができる。
【００５５】
時間領域オフセット補償されたインパルス応答推定７８６は、周波数領域オフセット補償されたインパルス応答推定７８８（例えば、Ｈest ）を生成するためにＦＦＴ行列７６２を掛け算されることができる（７７９ｆ）。この演算は、上記の式（３）で示されることができる。周波数領域オフセット補償されたインパルス応答推定７８８は、ＳＤＭＡビームフォーミング重み７９０を計算するために使用されることができる。例えば、ＳＤＭＡビームフォーミング行列７９２は、周波数領域オフセット補償されたインパルス応答推定７８８を使用して計算され得る。ＳＤＭＡビームフォーミング重み７９０は、アンテナ ７０８ａ−ｎを使用してアクセス端末へ送信される信号を制御するために使用されることができる。
【００５６】
図８は、オフセット補償されたインパルス応答推定を計算する方法６００の別のさらに特定の構成を示すフロー図である。この方法８００は、ＮポイントＦＦＴとギブス補正(Gibbs correction)行列を使用する最小２乗平均誤差アプローチを使用して周波数オフセット１２０を補償するためのアプローチを表す。基地局１０２は、受信されたチャネル・サンプルと、逆高速フーリエ変換（ＩＦＦＴ）行列と、恒等行列を乗じた定数に、ＦＦＴ行列を乗じたＦＦＴ行列のエルミート関数を加えたものの逆関数と、を掛け算することによって時間領域インパルス応答推定を計算することができる（８９６）。これらの演算は、式（４）で示されることができる。  
【数７】
2013520142.tif 000009
【００５７】
Ｆ-1はＮポイントＩＦＦＴ行列である。
【００５８】
基地局１０２は、周波数オフセット（例えば、Δｆ）を含む指数関数
【数８】
2013520142.tif 000010
【００５９】
を時間領域インパルス応答推定（例えば、ｈs ）に掛け算することによって時間領域インパルス応答推定に周波数オフセット補償を適用することができる（８９８）。この演算は、上記の式（２）で示されるように同様に行われることができる。
【００６０】
基地局１０２は、式Ｈest ＝Ｆｈに従って、時間領域オフセット補償されたインパルス応答を周波数領域に変換する（例えば、計算する）ことができる（８９９）。ＦはフルサイズのＮ×Ｎフーリエ行列であり、したがってこの行列掛け算を計算するために在来型ＦＦＴあるいはＩＦＦＴが使用できることに注意すべきである。受信されたチャネルＨには２の累乗であるいくつかのサブキャリアがないことがあり得ることにも注意すべきである。この場合、ＮポイントＩＦＦＴまたはＦＦＴの計算前に、ゼロが「未使用の」サブキャリア上に置かれることができる。一構成においては、出力されたサブキャリアｉ＝（(ｋ＋Ｎ)ｍｏｄ Ｎ）だけが使用されることができ（例えば、ＳＤＭＡビームフォーミング重みを計算するために）、一方他のものは無視されることができる。
【００６１】
図９は基地局で周波数オフセットを補償するための方法及びシステムがインプリメントされることのできるアクセス・ポイント９０２の別の構成を示すブロック図である。とくに、図９は、図８と関連させて説明した方法８００の１つのインプリメンテーションを示す。アクセス・ポイント９０２は周波数オフセット補償モジュール９０４を含むことができる。
【００６２】
周波数オフセット補償モジュール９０４は、ある決まった長さ９６６（例えば、Ｌ）の恒等行列９６８（例えば、Ｉ）を含むことができる。恒等行列９６８は、定数９７０（例えば、α）を掛け算されることができる（９７９ｂ）。周波数オフセット補償モジュール９０４はＦＦＴ行列９６２を含むことができる。ＦＦＴ行列９６２は、Ｎポイント（９９４ａ）ＦＦＴ行列であることができる。アクセス・ポイント９０２はＦＦＴ行列９６２のエルミート関数９６４を計算し、それにＦＦＴ行列９６２を掛け算することができる（９７９ａ）。結果的に生じた積は、定数９７０と恒等行列９６８の積に加算されることができる（９８１）。結果的に生じた和は、行列反転モジュール９７２によって反転されることができる。
【００６３】
結果的に生じた事前計算可能な行列（例えば、（ＦijH Ｆij＋αＩL ）-1）は、記憶装置９７４に随意に記憶されることができる。この事前計算可能な行列は事前計算可能な演算９０３の結果であり得る。すなわち、事前計算可能な行列は、例えば、アクセス・ポイント９０２がアクセス端末（例えば、無線通信デバイス）１２４と通信することを試みる前等に、随意に事前計算されて記憶装置９７４に事前記憶されることができる。さらに、事前計算可能な演算９０３はアクセス・ポイント９０２上あるいはある他の別個の計算デバイス上で行われることができ、その結果生じた反転行列は、アクセス・ポイント９０２がアクセス端末と通信している時の使用のために記憶装置９７４に置かれる。いくつかの異なるモードは、図７に関連して上述したように、記憶装置９７４に事前記憶されることができる。その代わりに、事前計算可能な演算９０３はあらかじめ行われないか、及び／または記憶されないことができるが、しかしアクセス・ポイント９０２がアクセス端末と通信しているときに行われることができる。
【００６４】
結果的に生じた事前計算可能な行列は、時間領域インパルス応答推定９０７（例えば、Ｈs ）を生成するために、Ｎポイント９９４ｂ ＩＦＦＴ行列９０５（例えば、Ｆ-1）を掛け算され（９７９ｃ）、受信されたサンプル９７６（例えば、Ｈ（ｆk＋Δｆ））を掛け算されることができる（９７９ｄ）。上述した演算は上記の式（４）で示されるように行われることができる。
【００６５】
アクセス・ポイント９０２は、１または複数のアンテナ ９０８ａ−ｎを使用してサンプル９７６を（例えば、１または複数の アクセス端末から）受信することができる。周波数オフセット推定モジュール９８２は、受信されたサンプル９７６を使用して１または複数の周波数オフセット推定（例えば、Δｆ）を計算することができる。指数関数９８０
【数９】
2013520142.tif 000011
【００６６】
は１または複数の周波数オフセット推定、サブキャリア番号９７８、及びＮポイント９９４ｃを使用することができる。指数関数９８０の出力は、時間領域オフセット補償されたインパルス応答推定９０９（例えば、ｈ（ｋ））を生成するために時間領域インパルス応答推定９０７を掛け算されることができる（９７９ｅ）。これらの演算は、上記の式（２）で示されるように行われることができる。
【００６７】
時間領域オフセット補償されたインパルス応答推定９０９は、周波数領域オフセット補償されたインパルス応答推定９１１（例えば、Ｈest ）を生成するためにＦＦＴ行列９６２を掛け算されることができる（９７９ｆ）。この演算は、上記の式（３）で示されるように行われることができる。周波数領域オフセット補償されたインパルス応答推定９１１は、ＳＤＭＡビームフォーミング重み９１３を計算するために使用されることができる。例えば、ＳＤＭＡビームフォーミング行列９１５は、周波数領域オフセット補償されたインパルス応答推定９１１を使用して計算され得る。ＳＤＭＡビームフォーミング重み９１５は、アンテナ ９０８ａ−ｎを使用してアクセス端末へ送信される信号を制御するために使用されることができる。
【００６８】
図１０は、オフセット補償されたインパルス応答推定を計算する方法６００の別のさらに特定の構成を示すフロー図である。より具体的には、図１０は、ＮポイントＦＦＴ及び
ＩＦＦＴのみを使用する補間アプローチを示す。基地局１０２上に大きい最小２乗平均誤差（ＭＭＳＥ）補間行列を記憶する必要性が存在し得ないため、このアプローチは有益であり得る。基地局１０２は、窓関数を掛け算された受信されたチャネル・サンプルのＩＦＦＴをとることによって時間領域インパルス応答推定を計算することができる（１０１７）。
【００６９】
この演算は式（５）に示されたように行われることができる。  
【数１０】
2013520142.tif 000012
【００７０】
ＩＦＦＴ｛Ｈ｝はＮポイント逆高速フーリエ変換（ＩＦＦＴ）であり、Ｗ（ｆ）は、直流電流（ＤＣ）のあたりで、及び帯域の両端にロール・オフ（roll-off）を有する窓関数である。窓関数の１つの例は、８サンプルのロール・オフ長インターバル（roll-off length intervals）を有する２０ＭＨｚチャネルに関する２乗余弦窓（raised cosine window）である。より大きいロール・オフ値は可能であるが、しかしより小さい窓値を有することによって反転をより困難にし得る。別の例（例えば、４０ＭＨｚに関する）は、同じロール・オフ長（すなわち、８サンプル）を使用することができるが、しかし１１４のトーンをカバーするためにさらに多くのものを使用することができる。
【００７１】
基地局１０２は、サンプル・シフトされた時間領域インパルス応答を得るために、周波数オフセット及びサンプル・シフトを含む指数関数を時間領域インパルス応答推定に掛け算することによって時間領域インパルス応答推定に周波数オフセット補償を適用することができる（１０１９）。この演算は、式（６）に示されるように行われることができる。  
【数１１】
2013520142.tif 000013
【００７２】
位相スロープ補正（phase slope correction）の位相不連続性は直流電流（ＤＣ）のあたりではなく、帯域の外側であることを確実にするために、（Ｎ／２）のサンプル・シフトが含まれることができる。これは、ｈのＦＦＴをとるときにギブスひずみ（Gibbs distortion）を回避する助けとなり得る。
【００７３】
基地局１０２は、サンプル・シフトされた時間領域インパルス応答のＦＦＴをとることによってサンプル・シフトされた周波数領域インパルス応答推定を計算することができる（１０２１）。この演算は、式（７）に示されるように行われることができる。  
【数１２】
2013520142.tif 000014
【００７４】
基地局１０２は、周波数オフセット及びサンプル・シフトを含む指数関数を掛け算された窓関数のＩＦＦＴのＦＦＴをとることによってサンプル・シフトされた周波数領域窓を計算することができる（１０２３）。この演算は、式（８）に示されるように行われることができる。  
【数１３】
2013520142.tif 000015
【００７５】
基地局１０２は、サンプル・シフトされた周波数領域窓あるいはサンプル・シフトされた周波数領域窓の大きさで、サンプル・シフトされた周波数領域インパルス応答推定を割り算することによってウィンドウ処理のために周波数領域オフセット補償されたインパルス応答推定を計算することができる（１０２５）。この演算は、式（９）または式（１０）に示されるように行われることができる。  
【数１４】
2013520142.tif 000016
【００７６】
上述したように、サンプル・シフトされた周波数領域インパルス応答推定は、その代わりに、サンプル・シフトされた周波数領域窓の大きさで割り算されることができる。この演算は、式（１０）に示されるように行われることができる。  
【数１５】
2013520142.tif 000017
【００７７】
これは、ウィンドウ処理のために補正するためのより簡単な代替方法であり得る。しかしながら、それはまた、全ての基地局１０２のアンテナ１０８ａ−ｎ及びサブキャリア１１６ａ−ｎにわたって一定不変であるアクセス端末（例えば、クライアント）ごとの位相バイアスを残すことがあり、それは性能に影響を与えることはない。
【００７８】
図１１は、基地局１０２で周波数オフセットを補償するためのシステム及び方法がインプリメントされることができるアクセス・ポイント １１０２を示すブロック図である。とくに、図１１は、図１０に関連して説明された方法１０００の１つのインプリメンテーションを示す。アクセス・ポイント１１０２は周波数オフセット補償モジュール１１０４をを含むことができる。時間領域インパルス応答推定 １２０を生成するために、Ｎポイント１１９４ａ ＩＦＦＴ Ａ １１３１は、窓関数１１２７（例えば、Ｗ（ｋ）、それはサブキャリア番号１１７８を使用することができる）と掛け算された（１１７９ａ）受信されたサンプル１１７６（例えば、Ｈ（ｆk ＋Δｆ））との積がとられることができる。この演算は上記の式（５）に示されたように行われることができる。
【００７９】
周波数オフセット推定モジュール１１８２は、アンテナ １１０８ａ−ｎによって受信された信号を使用して１または複数の周波数オフセット（例えば、Δｆ）を推定することができる。指数関数１１８０は、（複数の）周波数オフセット推定、サブキャリア番号１１７８Ｎポイント１１９４ｅ、及びサンプル・シフト１１２９（例えば、Ｎ／２）を使用することができる。時間領域インパルス応答推定は、サンプル・シフトされた時間領域インパルス応答推定１１３５（例えば、ｈ（ｋ））を生成するために、出力された指数関数１１８０を掛け算されることができる（１１７９ｂ）。この演算は上記の式（６）で示されるように行われ得る。アクセス・ポイント１１０２は、サンプル・シフトされた周波数領域インパルス応答推定１１３７（例えば、Ｈs （ｆ））を生成するために、サンプル・シフトされた時間領域インパルス応答推定１１３５のＮポイント１１９４ｃ ＦＦＴ Ａ １１３３ａをとることができる。この演算は上記の式（７）で示されるように行われることができる。
【００８０】
アクセス・ポイント １１０２は、周波数シフトされた窓（例えば、Ｗs （ｆ））を生成するために、周波数オフセット及びサンプル・シフト１１２９を含む指数関数１１８０
【数１６】
2013520142.tif 000018
【００８１】
の出力を掛け算された（１１７９ｃ）窓関数１１２７のＮポイント１１９４ｂ ＩＦＦＴ Ｂ １１３１ｂ（例えば、ＩＦＦＴ（Ｗ（ｋ）））のＮポイント１１９４ｄ ＦＦＴ Ｂ １１３３ｂとの積をとることができる。この演算は上記の式（８）で示されるように行われることができる。
【００８２】
アクセス・ポイント１１０２は、周波数シフトされた窓の逆数１１３９をとる（take the reciprocal）ことができる。換言すると、アクセス・ポイント １１０２は、周波数シフトされた窓の大きさ１１４１の２乗で割り算された周波数シフトされた窓の共役（conjugate）を使用することができる。一構成において、アクセス・ポイント１１０２は周波数シフトされた窓の要素に関して逆関数（inverse）をとることができる。周波数シフトされた窓はベクトルであることができ、アクセス・ポイント１１０２は、１をそのベクトルの各要素で割ることによって、周波数シフトされた窓の逆関数（inverse）を得ることができる。サンプル・シフトされた周波数領域インパルス応答推定１１３７は、周波数領域オフセット補償されたインパルス応答推定（例えば、Ｈest （ｋ））を生成するために、周波数シフトされた窓の逆数（reciprocal）を掛け算される（例えば、周波数シフトされた窓で割り算される）ことができる（１１７９d）。この演算は、上記の式（９）に示されたように行われることができる。その代わりに、サンプル・シフトされた周波数領域インパルス応答推定１１３７は、周波数シフトされた窓の大きさ１１４１で割り算されることができる。このアプローチは、アクセス端末ごとの位相バイアスを残し得る。この演算は、上記の式（１０）で示されるように行われることができる。
【００８３】
アクセス・ポイント１１０２は、ＳＤＭＡビームフォーミング重み１１４３を計算するために（例えば、ＳＤＭＡビームフォーミング行列１１４５を計算するために）、周波数領域オフセット補償された（すなわち、チャネル）インパルス応答推定を使用することができる。ＳＤＭＡビームフォーミング重み１１４３は、アクセス・ポイント１１０２でアンテナ１１０８ａ−ｎを使用してデータを送信することができる。
【００８４】
図１２は、基地局あるいはアクセス・ポイント１２０２内に含まれ得るある決まったコンポーネントを示す。上述した基地局１０２, ２０２, ３０２ あるいはアクセス・ポイント７０２, ９０２, １１０２は、図１２に示された基地局あるいはアクセス・ポイント１２０２ に類似して構成されることができる。
【００８５】
基地局あるいはアクセス・ポイント１２０２はプロセッサ１２５９を含む。プロセッサ１２５９は、汎用単一チップあるいはマルチチップ・マイクロプロセッサ（例えば、ＡＲＭ）、専用マイクロプロセッサ（例えば、デジタル信号プロセッサ（ＤＳＰ））、マイクロコントローラ、プログラム可能なゲート・アレイ等であることができる。プロセッサ１２５９は、中央処理装置（ＣＰＵ）と呼ばれ得る。図１２の基地局あるいはアクセス・ポイント１２０２には単一のプロセッサ１２５９だけが示されているが、代替的な構成においては、プロセッサの組合せ（例えば、ＡＲＭとＤＳＰ）が使用されることができる。
【００８６】
基地局あるいはアクセス・ポイント１２０２はまた、プロセッサ１２５９と電子通信しているメモリ１２４７を含み得る（すなわち、プロセッサ１２５９は、メモリ１２４７から情報を読取り、あるいはメモリ１２４７に情報を書込むことができる）。メモリ１２４７は、電子情報を記憶することのできる任意の電子コンポーネントであり得る。メモリ１２４７は、ランダム・アクセス・メモリ（ＲＡＭ）、読出し専用メモリ（ＲＯＭ）、磁気ディスク記憶媒体、光学記憶媒体、ＲＡＭ中のフラッシュ・メモリ・デバイス、プロセッサと共に内蔵された実装されたメモリ、プログラム可能な読出し専用メモリ（ＰＲＯＭ）、消去可能プログラム可能な読出し専用メモリ（ＥＰＲＯＭ）、電気的に消去可能なＰＲＯＭ （ＥＥＰＲＯＭ）、レジスタ等、及びそれらの組合せであることができる。
【００８７】
データ１２４９及び命令１２５１はメモリ１２４７中に記憶されることができる。命令１２５１は、１または複数のプログラム、ルーチン、サブルーチン、ファンクション、手続き等を含み得る。命令１２５１は、単一のコンピュータ可読ステートメントあるいは多数のコンピュータ可読ステートメントを含み得る。命令１２５１は、アクセス・ポイント１０２、基地局あるいは通信デバイスと関連して開示された方法をインプリメントするためにプロセッサ１２５９によって実行可能であり得る。命令１２５１を実行することは、メモリ１２４７に記憶されているデータ１２４９の使用を必然的に伴い得る。図１２は、プロセッサ１２５９中にロードされているある命令１２５１ａ及びデータ１２４９ａを示す。
【００８８】
基地局あるいはアクセス・ポイント１２０２はまた、基地局あるいはアクセス・ポイント１２０２と遠隔位置（例えば、無線通信デバイス１２４あるいはアクセス端末）との間の信号の送受信を可能にするために送信機１２５５及び受信機１２５７を含み得る。送信機１２５５及び受信機１２５７はひとまとめにトランシーバ１２５３と呼ばれることができる。アンテナ１２０８は、トランシーバ１２５３に電気的に結合され得る。基地局あるいはアクセス・ポイント１２０２はまた、複数の送信機、複数の受信機、複数のトランシーバ、及び／または複数のアンテナを含み得る（示されていない）。
【００８９】
基地局あるいはアクセス・ポイント１２０２の種々のコンポーネントは、１または複数のバスによって一緒に結合されることができ、１または複数のバスには電力バス、制御信号バス、ステータス信号バス、データバス等が含まれ得る。簡単化のために、種々のバスは、図１２においてはバス・システム１２６１として示されている。
【００９０】
図１３は、無線通信デバイスあるいはアクセス端末１３２４内に含まれ得るある決まったコンポーネントを示す。上述した無線通信デバイス１２４,２２４,３２４あるいはアクセス端末は、図１３に示される無線通信デバイスあるいはアクセス端末１３２４に類似して構成されることができる。
【００９１】
無線通信デバイスあるいはアクセス端末１３２４はプロセッサ１３７５を含む。プロセッサ１３７５は、汎用単一チップあるいはマルチチップ・マイクロプロセッサ（例えば、ＡＲＭ）、専用マイクロプロセッサ（例えば、デジタル信号プロセッサ（ＤＳＰ））、マイクロコントローラ、プログラム可能なゲート・アレイ等であることができる。プロセッサ１３７５は、中央処理装置（ＣＰＵ）と呼ばれ得る。図１３の無線通信デバイスあるいはアクセス端末１３２４には単一のプロセッサ１３７５だけが示されているが、代替的な構成においては、プロセッサの組合せ（例えば、ＡＲＭとＤＳＰ）が使用されることができる。
【００９２】
無線通信デバイスあるいはアクセス端末 １３２４は、プロセッサ１３７５と電子通信しているメモリ１３６３を含み得る（すなわち、プロセッサ１３７５は、メモリ１３６３から情報を読取り、あるいはメモリ１３６３に情報を書込むことができる）。メモリ１３６３は、電子情報を記憶することのできる任意の電子コンポーネントであり得る。メモリ１３６３は、ランダム・アクセス・メモリ（ＲＡＭ）、読出し専用メモリ（ＲＯＭ）、磁気ディスク記憶媒体、光学記憶媒体、ＲＡＭ中のフラッシュ・メモリ・デバイス、プロセッサと共に内蔵された実装されたメモリ、プログラム可能な読出し専用メモリ（ＰＲＯＭ）、消去可能プログラム可能な読出し専用メモリ（ＥＰＲＯＭ）、電気的に消去可能なＰＲＯＭ （ＥＥＰＲＯＭ）、レジスタ等、及びそれらの組合せであることができる。
【００９３】
データ１３６５及び命令１３６７はメモリ１３６３中に記憶されることができる。命令１３６７は、１または複数のプログラム、ルーチン、サブルーチン、ファンクション、手続き等を含み得る。命令１３６７は、単一のコンピュータ可読ステートメントあるいは多数のコンピュータ可読ステートメントを含み得る。命令１３６７は、無線通信デバイス１２４あるいはアクセス端末と関連して上述された方法をインプリメントするためにプロセッサ１３７５によって実行可能であり得る。命令１３６７を実行することは、メモリ１３６３に記憶されているデータ１３６５の使用を必然的に伴い得る。図１３は、プロセッサ１３７５中にロードされているある命令１３６７ａ及びデータ１３６５ａを示す。
【００９４】
無線通信デバイスあるいはアクセス端末１３２４はまた、無線通信デバイスあるいはアクセス端末１３２４と遠隔位置（例えば、基地局１０２あるいはアクセス・ポイント）との間の信号の送受信を可能にするために送信機１３７１及び受信機１３７３を含み得る。送信機１３７１及び受信機１３７３は、ひとまとめにトランシーバ１３６９と呼ばれることができる。アンテナ１３２２は、トランシーバ１３６９に電気的に結合され得る。無線通信デバイスあるいはアクセス端末 １３２４はまた、複数の送信機、複数の受信機、複数のトランシーバ、及び／または複数のアンテナを含み得る（示されていない）。
【００９５】
無線通信デバイスあるいはアクセス端末１３２４の種々のコンポーネントは、１または複数のバスによって一緒に結合されることができ、１または複数のバスには電力バス、制御信号バス、ステータス信号バス、データバス等が含まれ得る。簡単化のために、種々のバスは、図１３においてはバス・システム１３７７として示されている。
【００９６】
上記の説明において、参照符号はときどき種々の用語に関連して使用されている。ある用語がある参照符号と関連して使用される場合、これは、図面のうちの１または複数の図に示される特定の要素を指すことを意味する。ある用語が参照符号なしで使用される場合、これは、任意の特定の図に限定せずに、その用語を一般的に指すことを意味する。
【００９７】
「決定すること」という表現は、多種多様なアクションを包含し、したがって「決定すること」は、計算すること、算出すること、処理すること、導き出すこと、調査すること、ルックアップすること（例えば、テーブル、データベースあるいは別のデータ構造の中をルックアップすること）、確認すること等を含むことができる。「決定すること」はまた、受信すること（例えば、情報を受信すること）、アクセスすること（例えば、メモリ中のデータにアクセスすること）等を含むことができる。「決定すること」はまた解決すること、選択すること、選ぶこと、確立すること等を含むことができる。
【００９８】
「に基づく」という表現は、とくに明記されない限り、「にのみ基づく」を意味しない。換言すると、「に基づく」という表現は、「にのみ基づく」及び「に少なくとも基づく」の両者を示す。
【００９９】
ここに記載されたファンクションは、プロセッサ可読あるいはコンピュータ可読媒体上に１または複数の命令として記憶されることができる。「プロセッサ可読媒体」あるいは「コンピュータ可読媒体」という用語は、プロセッサあるいはコンピュータによってアクセスされることのできる任意の利用可能な媒体を指す。限定ではなく、例示すると、このような媒体には、ＲＡＭ、ＲＯＭ、ＥＥＰＲＯＭ、フラッシュ・メモリ、ＣＤ−ＲＯＭあるいは他の光学ディスク記憶装置、磁気ディスク記憶装置あるいは他の磁気記憶デバイス、もしくはコンピュータによってアクセスされることができる、及び、望まれるプログラム・コードを命令またはデータ構造の形態で記憶するために使用されることのできる、任意の他の媒体が含まれ得る。ここで使用されるディスク（disk）及びディスク（disc）には、コンパクト・ディスク(disc)(ＣＤ)、レーザー・ディスク(disc)、光ディスク(disc)、ディジタル多用途ディスク(disc)（ＤＶＤ）、フロッピー（登録商標）ディスク(disk)、及びブルーレイ（登録商標）ディスク(disc)が含まれ、ここでディスク(disks)は通常データを磁気的に再生し、ディスク(disc)はレーザを用いてデータを光学的に再生する。
【０１００】
ソフトウェアあるいは命令はまた送信媒体上で送信される。例えば、同軸ケーブル、光ファイバ・ケーブル、撚線対、デジタル加入者線（ＤＳＬ）、または赤外線、無線、及びマイクロ波のような複数の無線技術を使用して、ソフトウェアがウェブサイト、サーバ、または他の遠隔ソースから送信される場合、同軸ケーブル、光ファイバ・ケーブル、撚線対、ＤＳＬ、または赤外線、無線、及びマイクロ波のような複数の無線技術は送信媒体の定義に含まれる。
【０１０１】
ここに開示される方法は、その説明された方法を達成するための１または複数のステップあるいはアクションを備える。本方法ステップ及び／またはアクションは、本願の請求項の発明の技術的範囲を逸脱せずに互いに交換され得る。換言すると、説明されている本方法の適切な動作のためにステップあるいはアクションの特定の順序が要求されない限り、特定のステップ及び／またはアクションのその順序及び／または使用は、本願の請求項の発明の技術的範囲を逸脱せずに変更されることができる。
【０１０２】
本願請求項は上記に示された厳密な構成及びコンポーネントに限定されるものではないことを理解すべきである。ここに記載されたシステム、方法、及び装置の詳細、動作、及び配列の種々の修正、変更および変形は、本願請求項の技術的範囲を逸脱せずに行われ得る。
【図１】
2013520142.tif 000019
【図２】
2013520142.tif 000020
【図３】
2013520142.tif 000021
【図４】
2013520142.tif 000022
【図５】
2013520142.tif 000023
【図６】
2013520142.tif 000024
【図７】
2013520142.tif 000025
【図８】
2013520142.tif 000026
【図９】
2013520142.tif 000027
【図１０】
2013520142.tif 000028
【図１１】
2013520142.tif 000029
【図１２】
2013520142.tif 000030
【図１３】
2013520142.tif 000031
【国際調査報告】
2013520142.tif 000032
2013520142.tif 000033
2013520142.tif 000034